(57)【要約】【課題】簡単かつ迅速にグラフの軸の終端値の変更を行えるようにする。【解決手段】マウスカーソル５がグラフ表示エリアＡＲ１内のデータ軸Ｙの上限値ライン（あるいは近傍の狭い範囲）に置かれたまま、マウスホイール４が操作された場合、トレンドグラフＧ１のデータ軸Ｙの上限値（終端値）を変更し、マウスカーソル５がグラフ表示エリアＡＲ１内のデータ軸Ｙの下限値ライン（あるいは近傍の狭い範囲）に置かれたまま、マウスホイール４が操作された場合、トレンドグラフＧ１のデータ軸Ｙの下限値（終端値）を変更する。時間軸Ｘも同様にその前後方向の限界値（終端値）を変更できるようにしてもよい。【選択図】  図１１
2013149152.tif 000002
【特許請求の範囲】
【請求項１】
第１軸とこの第１軸と直交する第２軸とで示される直交平面をグラフ表示エリアとし、このグラフ表示エリア上にグラフを表示するグラフ表示手段と、
前記グラフが表示されている画面上にポインタを表示するポインタ表示手段と、
前記画面上に表示されるポインタを移動させるポインタ操作器と、
前記グラフ表示エリア内の所定のエリアに前記ポインタが置かれたまま、所定の操作が行われた場合、前記ポインタが置かれた所定のエリアによって特定される前記第１軸および前記第２軸の何れか一方の軸の終端値を連続的に変更する終端値変更手段とを備え、
前記グラフ表示エリア内の所定のエリアは、
終端値が上限である場合は、上限値ラインあるいは上限値ライン近傍の範囲であり、
終端値が下限である場合は、下限値ラインあるいは下限値ライン近傍の範囲である
ことを特徴とするグラフ表示装置。
【請求項２】
請求項１に記載されたグラフ表示装置において、
前記第１軸は時刻を示す時間軸とされ、
前記第２軸はデータ値を示す複数のデータ軸とされ、
前記終端値変更手段は、前記ポインタが置かれた前記所定のエリアによって特定される前記データ軸の終端値を連続的に変更する
ことを特徴とするグラフ表示装置。
【請求項３】
請求項１に記載されたグラフ表示装置において、
前記ポインタ操作器は、マウスとされ、
前記終端値変更手段は、前記所定の操作として前記マウスのホイールが操作された場合、前記ポインタが置かれた前記所定のエリアによって特定される前記第１軸および前記第２軸の何れか一方の軸の終端値を連続的に変更する
ことを特徴とするグラフ表示装置。
【発明の詳細な説明】
【技術分野】
【０００１】
この発明は、データをグラフ化して表示するグラフ表示装置に関するものである。
【背景技術】
【０００２】
従来より、プラント等の運転状態を監視・制御するシステムでは、プラントにおける圧力、液量、温度等の計測値を時系列で収集し、この時系列で収集した計測値（時系列データ）をグラフ化して監視・制御装置の画面上に表示するようにしている。
【０００３】
例えば、横軸を時刻を示す時間軸とし、この時間軸に直交する縦軸をデータ値を示すデータ軸とし、時間軸とデータ軸とで示される直交平面上に時系列データをプロットし、このプロットした時系列データを折れ線で結んでトレンドグラフとして画面上に表示する。
【０００４】
このトレンドグラフにおいて、所望のデータ点の数値を確認したい場合、そのデータ点に合わせてマウスカーソルを移動させる。すると、その最も近傍のデータ点の数値がグラフ内に表示される。
【０００５】
このようなトレンドグラフにおいて、グラフ上のデータを見やすくするために、データ軸のスケールを変更するという操作が行われる。例えば、特許文献１に示されたプラント監視装置では、トレンドグラフが表示された画面上に、レンジ上・下限値変更ウィンドウを出現させる。図１２に画面上に出現するレンジ上・下限値変更ウィンドウを示す。
【０００６】
このレンジ上・下限値変更ウィンドウＷ１は、上限値増加ボタンＰ１，上限値減少ボタンＰ２、下限値増加ボタンＰ３、下限値減少ボタンＰ４、上限値表示エリアＡ３、下限値表示エリアＡ４を有し、上限値増加ボタンＰ１または上限値減少ボタンＰ２が押されると、その押し時間に連動して上限値表示エリアＡ３内の上限値の表示がリアルタイムに増減し、同様に、下限値増加ボタンＰ３または下限値減少ボタンＰ４が押されると、下限値表示エリアＡ４内の下限値の表示が増減する。
【０００７】
これにより、操作者は、上限値増加ボタンＰ１または上限値減少ボタンＰ２により、上限値表示エリアＡ３内の上限値の表示を確認しながらデータ軸の上限値を目標とする値に変更し、また下限値増加ボタンＰ３または下限値減少ボタンＰ４により、下限値表示エリアＡ４内の下限値の表示を確認しながらデータ軸の下限値を目標とする値に変更することができる。
【先行技術文献】
【特許文献】
【０００８】
【特許文献１】特開平９−９１０３５号公報
【発明の概要】
【発明が解決しようとする課題】
【０００９】
しかしながら、上述した特許文献１に示された方法では、レンジ上・下限値変更ウィンドウ内のボタン操作でデータ軸の上限値や下限値を変更することが可能であるが、このレンジ上・下限値変更ウィンドウはトレンドグラフの表示エリア内に表示されるとグラフが見難くなるため、トレンドグラフの表示エリア外に表示されることになる。
【００１０】
このため、トレンドグラフの表示エリア内でデータ点の数値の確認作業を行っていた操作者は、マウスカーソルをトレンドグラフの表示エリアの外まで移動させなければならず、迅速にレンジの上・下限値を変更することができない。なお、上述においては、データ軸の上・下限値（終端値）を変更する場合について説明したが、時間軸の前・後方向の限界値（終端値）を変更する場合についても、同様の問題が生じる。
【００１１】
本発明は、このような課題を解決するためになされたもので、その目的とするところは、簡単かつ迅速にグラフの軸の終端値の変更を行うことが可能なグラフ表示装置を提供することにある。
【課題を解決するための手段】
【００１２】
このような目的を達成するために本発明は、第１軸とこの第１軸と直交する第２軸とで示される直交平面をグラフ表示エリアとし、このグラフ表示エリア上にグラフを表示するグラフ表示手段と、グラフが表示されている画面上にポインタを表示するポインタ表示手段と、画面上に表示されるポインタを移動させるポインタ操作器と、グラフ表示エリア内の所定のエリアにポインタが置かれたまま、所定の操作が行われた場合、ポインタが置かれた所定のエリアによって特定される第１軸および第２軸の何れか一方の軸の終端値を連続的に変更する終端値変更手段とを備え、グラフ表示エリア内の所定のエリアは、終端値が上限である場合は、上限値ラインあるいは上限値ライン近傍の範囲であり、終端値が下限である場合は、下限値ラインあるいは下限値ライン近傍の範囲であることを特徴とする。
【００１３】
この発明によれば、ポインタを移動させて画面上のグラフ表示エリア内の所定のエリア（終端値が上限である場合は、上限値ラインあるいは上限値ライン近傍の範囲、終端値が下限である場合は、下限値ラインあるいは下限値ライン近傍の範囲）に位置させ、この所定のエリアにポインタを位置させたまま所定の操作を行うと、ポインタが置かれた所定のエリアによって特定される第１軸または第２軸の終端値が連続的に変更される。
【００１４】
本発明において、例えば第１軸を時刻を示す時間軸、第２軸をデータ値を示すデータ軸とした場合、ポインタが置かれた所定のエリアによって特定される時間軸またはデータ軸の終端値が連続的に変更される。本発明において、グラフを複数表示するような場合、第２軸が複数のデータ軸とされる場合がある。このような場合、そのデータ軸のうち、ポインタが置かれた所定のエリアによって特定されるデータ軸の終端値を連続的に変更するようにすると、そのデータ軸によってデータ値が示されるグラフのみのデータ軸のレンジが変更される。
【００１５】
本発明において、ポインタ操作器としては、例えばマウスを使用する。この場合、ホイール付きのマウスであれば、そのマウスホイールを所定の操作を行う操作部として用いる。すなわち、マウスホイールを特定の方向に回転させると、その回転量に応じて第１軸または第２軸の終端値を増加させるようにし、マウスホイールを逆の方向に回転させると、その回転量に応じて第１軸または第２軸の終端値を減少させるようにする。
【発明の効果】
【００１６】
本発明によれば、グラフ表示エリア内の所定のエリアにポインタが置かれたまま、所定の操作が行われた場合、ポインタが置かれた所定のエリアによって特定される第１軸および第２軸の何れか一方の軸の終端値を連続的に変更させるようにしたので、グラフ表示エリアの外にポインタを移動させなくてもよく、簡単かつ迅速にグラフの軸の終端値の変更を行うことが可能となる。
【図面の簡単な説明】
【００１７】
【図１】本発明に係るグラフ表示装置を含むプロセス監視・制御システムの一実施の形態の概略を示すシステム構成図である。
【図２】このプロセス監視・制御システムにおけるサーバ装置の要部の構成を示すブロック図である。
【図３】このプロセス監視・制御システムにおける監視・制御装置のハードウェア構成の概略を示すブロック図である。
【図４】この監視・制御装置においてポインタ操作器として用いられるホイール付きのマウスを示す図である。
【図５】この監視・制御装置のディスプレイ上での時系列データの表示例を示す図である。
【図６】実施の形態１（データ軸の上・下限値を変更する例）におけるデータ軸の上限値の変更を説明する図である。
【図７】実施の形態１（データ軸の上・下限値を変更する例）におけるデータ軸の下限値の変更を説明する図である。
【図８】実施の形態２（時間軸の前・後方向の限界値を変更する例）における時間軸の前方向の限界値の変更を説明する図である。
【図９】実施の形態２（時間軸の前・後方向の限界値を変更する例）における時間軸の後方向の限界値の変更を説明する図である。
【図１０】複数のトレンドグラフに対してデータ軸が左右に分かれて設けられた例を示す図である。
【図１１】監視・制御装置の機能ブロック図である。
【図１２】特許文献１に示されたプラント監視装置の画面上に出現するレンジ上・下限値変更ウィンドウを示す図である。
【発明を実施するための形態】
【００１８】
以下、本発明を図面に基づいて詳細に説明する。図１はこの発明に係るグラフ表示装置を含むプロセス監視・制御システムの一実施の形態の概略を示すシステム構成図である。
【００１９】
このプロセス監視・制御システムは、プラント等に設置された不図示のフィールド機器（例えば、スイッチ、バルブ、ポンプ、圧力計、流量計、温度計など）を制御すると共に、フィールド機器から例えば圧力、液量、温度等の計測値を時系列で収集するコントローラ１と、コントローラ１が時系列で収集した計測値（時系列データ）を定期的に取得するサーバ装置２と、オペレータの指示に応じてコントローラ１やサーバ装置２に指令を与えると共にプラントの監視・制御画面を編集作成する監視・制御装置３とから構成される。
【００２０】
図２はサーバ装置２の要部の構成を示すブロック図である。サーバ装置２は、コントローラ１からフィールド機器の時系列データを定期的に取得するデータ取得部２１と、取得した時系列データを記憶するデータ記憶部２２とを有する。なお、時系列データは、そのデータ値とそのデータの収集時の時刻とが対としてデータ記憶部２２に記憶される。
【００２１】
図３は監視・制御装置３のハードウェア構成の概略を示すブロック図である。同図において、３−１はＣＰＵ、３−２はＲＡＭ、３−３はＲＯＭ、３−４はハードディスクなどの記憶装置、３−５〜３−７はインターフェイス、３−８はディスプレイ、３−９はキーボード、３−１０はマウスである。マウス３−１０は本発明でいうポインタ操作器の役割を果たし、操作部としてマウスホイール４（図４参照）を備えている。
【００２２】
ＣＰＵ３−１は、インターフェイス３−５〜３−７を介して与えられる各種入力情報を得て、ＲＡＭ３−２にアクセスしながら、ＲＯＭ３−３や記憶装置３−４に格納されたプログラムに従って動作する。記憶装置３−４には、本実施の形態特有のプログラムとして、トレンドグラフ表示プログラムが格納されている。このトレンドグラフ表示プログラムは、例えばＣＤ−ＲＯＭなどの記録媒体に記録された状態で提供され、この記録媒体から読み出されて記憶装置３−４にインストールされている。
【００２３】
なお、この例では、サーバ装置２と監視・制御装置３とを別々に設けているが、これらを一体化させてもよい。また、サーバ装置２とコントローラ１とを一体化させたりするなどしてもよい。
【００２４】
〔実施の形態１：データ軸の上・下限値を変更する例〕
以下、記憶装置３−４に格納されているトレンドグラフ表示プログラムに従うＣＰＵ３−１の処理動作の第１例（実施の形態１）について説明する。
【００２５】
〔トレンドグラフの表示〕
ＣＰＵ３−１は、操作者からの要求として、計測点と期間を指定してトレンドグラフの表示要求が出されると、その指定された計測点について、指定された期間の時系列データをサーバ装置２のデータ記憶部２２から取得し、この取得した時系列データをグラフ化してディスプレイ３−８上に表示する。図５にディスプレイ３−８上での時系列データの表示例を示す。
【００２６】
この場合、ＣＰＵ３−１は、横軸を時刻を示す時間軸Ｘとし、この時間軸Ｘに直交する縦軸をデータ値を示すデータ軸Ｙとし、時間軸Ｘとデータ軸Ｙとで示される直交平面をグラフ表示エリアＡＲ１とし、このグラフ表示エリアＡＲ１上に指定された計測点の時系列データをプロットし、このプロットした時系列データを折れ線で結んでトレンドグラフＧ１としてディスプレイ３−８上に表示する。
【００２７】
〔データ軸の上限値の変更：レンジの縮小（グラフの拡大）・レンジの拡大（グラフの縮小）〕
図５に示したトレンドグラフＧ１において、データ軸Ｙの上限値を変更したい場合、操作者は、マウス３−１０を操作して、グラフ表示エリアＡＲ１内のデータ軸Ｙの上限値ライン（あるいは近傍の狭い範囲）まで、マウスカーソル５を移動させる（図６（ａ）参照）。上限値ライン（あるいは近傍の狭い範囲）としていることで、操作者が、表示されている特定のデータ自体に着目しているのではなく、グラフの上限値自体に着目していることを認識しやすく、かつ操作者にとっても所定のエリアを直感的に指定しやすい。したがって、近傍の狭い範囲についても、そのような効果が得られやすい程度に狭くしておくのが好ましい。
【００２８】
〔データ軸のレンジの縮小（グラフの拡大）〕
図６（ａ）に示した状態で、すなわちマウスカーソル５をグラフ表示エリアＡＲ１内のデータ軸Ｙの上限値ライン（あるいは近傍の狭い範囲）に置いたままの状態で、操作者は、マウスホイール４を特定の方向（例えば、手前側）に回転させる。すると、ＣＰＵ３−１は、マウスホイール４の回転量に応じて、データ軸Ｙの上限値を連続的に低くする方向に変化させる（図６（ｂ）参照）。
【００２９】
図６（ｂ）はデータ軸Ｙの上限値を「１００」から「５０」に変更させた例を示している。これにより、データ軸Ｙのレンジが「０〜１００」から「０〜５０」に縮小され、トレンドグラフＧ１の表示倍率がデータ軸Ｙの方向へ拡大される。
【００３０】
〔データ軸のレンジの拡大（グラフの縮小）〕
図６（ａ）に示した状態で、すなわちマウスカーソル５をグラフ表示エリアＡＲ１内のデータ軸Ｙの上限値ライン（あるいは近傍の狭い範囲）に置いたままの状態で、操作者は、マウスホイール４を上記とは逆の方向に回転させる。すると、ＣＰＵ３−１は、マウスホイール４の回転量に応じて、データ軸Ｙの上限値を連続的に高くする方向に変化させる（図６（ｃ）参照）。
【００３１】
図６（ｃ）はデータ軸Ｙの上限値を「１００」から「２００」に変更させた例を示している。これにより、データ軸Ｙのレンジが「０〜１００」から「０〜２００」に拡大され、トレンドグラフＧ１の表示倍率がデータ軸Ｙの方向に縮小される。
【００３２】
〔データ軸の下限値の変更：レンジの縮小（グラフの拡大）・レンジの拡大（グラフの縮小）〕
図５に示したトレンドグラフＧ１において、データ軸Ｙの下限値を変更したい場合、操作者は、マウス３−１０を操作して、グラフ表示エリアＡＲ１内のデータ軸Ｙの下限値ライン（あるいは近傍の狭い範囲）まで、マウスカーソル５を移動させる（図７（ａ）参照）。
【００３３】
〔データ軸のレンジの縮小（グラフの拡大）〕
図７（ａ）に示した状態で、すなわちマウスカーソル５をグラフ表示エリアＡＲ１内のデータ軸Ｙの下限値ライン（あるいは近傍の狭い範囲）に置いたままの状態で、操作者は、マウスホイール４を特定の方向（例えば、手前側）に回転させる。すると、ＣＰＵ３−１は、マウスホイール４の回転量に応じて、データ軸Ｙの下限値を連続的に高くする方向に変化させる（図７（ｂ）参照）。
【００３４】
図７（ｂ）はデータ軸Ｙの下限値を「０」から「５０」に変更させた例を示している。これにより、データ軸Ｙのレンジが「０〜１００」から「５０〜１００」に縮小され、トレンドグラフＧ１の表示倍率がデータ軸Ｙの方向に拡大される。
【００３５】
〔データ軸のレンジの拡大（グラフの縮小）〕
図７（ａ）に示した状態で、すなわちマウスカーソル５をグラフ表示エリアＡＲ１内のデータ軸Ｙの下限値ライン（あるいは近傍の狭い範囲）に置いたままの状態で、操作者は、マウスホイール４を上記とは逆の方向に回転させる。すると、ＣＰＵ３−１は、マウスホイール４の回転量に応じて、データ軸Ｙの下限値を連続的に低くする方向に変化させる（図７（ｃ）参照）。
【００３６】
図７（ｃ）はデータ軸Ｙの下限値を「０」から「−１００」に変更させた例を示している。これにより、データ軸Ｙのレンジが「０〜１００」から「−１００〜１００」に拡大され、トレンドグラフＧ１の表示倍率がデータ軸Ｙの方向に縮小される。
【００３７】
〔実施の形態２：時間軸の前・後方向の限界値を変更する例〕
次に、記憶装置３−４に格納されているトレンドグラフ表示プログラムに従うＣＰＵ３−１の処理動作の第２例（実施の形態２）について説明する。なお、「トレンドグラフの表示」については、実施の形態１と同じであるのでその説明は省略する。
【００３８】
〔時間軸の前方向の限界値の変更：レンジの縮小（グラフの拡大）・レンジの拡大（グラフの縮小）〕
図５に示したトレンドグラフＧ１において、時間軸Ｘの前方向（図中の左方向）の限界値を変更したい場合、操作者は、マウス３−１０を操作して、グラフ表示エリアＡＲ１内の時間軸Ｘの前方向の限界値ライン（あるいは近傍の狭い範囲）まで、マウスカーソル５を移動させる（図８（ａ）参照）。
【００３９】
〔時間軸のレンジの縮小（グラフの拡大）〕
図８（ａ）に示した状態で、すなわちマウスカーソル５をグラフ表示エリアＡＲ１内の時間軸Ｘの前方向（図中の左方向）の限界値ライン（あるいは近傍の狭い範囲）に置いたままの状態で、操作者は、マウスホイール４を特定の方向（例えば、手前側）に回転させる。すると、ＣＰＵ３−１は、マウスホイール４の回転量に応じて、時間軸Ｘの前方向の限界値を連続的に後方向に進めるように変化させる（図８（ｂ）参照）。
【００４０】
図８（ｂ）は時間軸Ｘの前方向の限界値を「００：００」から「０３：００」に変更させた例を示している。これにより、時間軸Ｘのレンジが「００：００〜０６：００」から「０３：００〜０６：００」に縮小され、トレンドグラフＧ１の表示倍率が時間軸Ｘの方向へ拡大される。
【００４１】
〔時間軸のレンジの拡大（グラフの縮小）〕
図８（ａ）に示した状態で、すなわちマウスカーソル５をグラフ表示エリアＡＲ１内の時間軸Ｘの前方向の限界値ライン（あるいは近傍の狭い範囲）に置いたままの状態で、操作者は、マウスホイール４を上記とは逆の方向に回転させる。すると、ＣＰＵ３−１は、マウスホイール４の回転量に応じて、時間軸Ｘの前方向の限界値を連続的に前方向に進めるように変化させる（図８（ｃ）参照）。
【００４２】
図８（ｃ）は時間軸Ｘの前方向の限界値を「００：００」から「１８：００」に変更させた例を示している。これにより、時間軸Ｘのレンジが「００：００〜０６：００」から「１８：００〜０６：００」に拡大され、トレンドグラフＧ１の表示倍率が時間軸Ｘの方向に縮小される。
【００４３】
〔時間軸の後方向の限界値の変更：レンジの縮小（グラフの拡大）・レンジの拡大（グラフの縮小）〕
図５に示したトレンドグラフＧ１において、時間軸Ｘの後方向（図中の右方向）の限界値を変更したい場合、操作者は、マウス３−１０を操作して、グラフ表示エリアＡＲ１内の時間軸Ｘの後方向の限界値ライン（あるいは近傍の狭い範囲）まで、マウスカーソル５を移動させる（図９（ａ）参照）。
【００４４】
〔時間軸のレンジの縮小（グラフの拡大）〕
図９（ａ）に示した状態で、すなわちマウスカーソル５をグラフ表示エリアＡＲ１内の時間軸Ｘの後方向の限界値ライン（あるいは近傍の狭い範囲）に置いたままの状態で、操作者は、マウスホイール４を特定の方向（例えば、手前側）に回転させる。すると、ＣＰＵ３−１は、マウスホイール４の回転量に応じて、時間軸Ｘの後方向の限界値を連続的に前方向に進めるように変化させる（図９（ｂ）参照）。
【００４５】
図９（ｂ）は時間軸Ｘの後方向の限界値を「０６：００」から「０３：００」に変更させた例を示している。これにより、時間軸Ｘのレンジが「００：００〜０６：００」から「００：００〜０３：００」に縮小され、トレンドグラフＧ１の表示倍率が時間軸Ｘの方向に拡大される。
【００４６】
〔時間軸のレンジの拡大（グラフの縮小）〕
図９（ａ）に示した状態で、すなわちマウスカーソル５をグラフ表示エリアＡＲ１内の時間軸Ｘの後方向の限界値ライン（あるいは近傍の狭い範囲）に置いたままの状態で、操作者は、マウスホイール４を上記とは逆の方向に回転させる。すると、ＣＰＵ３−１は、マウスホイール４の回転量に応じて、時間軸Ｘの後方向の限界値を連続的に後方向へ進めるように変化させる（図９（ｃ）参照）。
【００４７】
図９（ｃ）は時間軸Ｘの後方向の限界値を「０６：００」から「１２：００」に変更させた例を示している。これにより、時間軸Ｘのレンジが「００：００〜０６：００」から「００：００〜１２：００」に拡大され、トレンドグラフＧ１の表示倍率が時間軸Ｘの方向に縮小される。
【００４８】
また、図１０に示すように、グラフ表示エリアＡＲ１内に複数のトレンドグラフが表示され、この表示されたトレンドグラフに対してデータ軸Ｙが複数設けられているような場合には、マウスカーソル５が置かれた位置によって特定されるデータ軸Ｙの上・下限値を変更するようにしてもよい。
【００４９】
図１０に示した例では、グラフ表示エリアＡＲ１内にトレンドグラフＧ１，Ｇ２が表示され、トレンドグラフＧ１，Ｇ２に対して左右に分かれてデータ軸Ｙ１，Ｙ２が設けられている。この場合、データ軸Ｙ１がトレンドグラフＧ１のデータ軸、データ軸Ｙ２がトレンドグラフＧ２のデータ軸とされている。この例において、トレンドグラフＧ１に対するデータ軸Ｙ１の上限値を変更したい場合には、データ軸Ｙ１の上限値の表示領域にマウスカーソル５を位置させて、マウスホイール４を回転させる。これにより、トレンドグラフＧ１に対してのみその表示レンジが変更され、トレンドグラフＧ１のデータ軸Ｙ１の方向の表示倍率が変更される。
【００５０】
また、上述した実施の形態１，２では、グラフ表示エリアＡＲ１内の所定のエリアをマウスカーソルで特定するようにしたが、水平線と垂直線とから構成されるヘアライン線で特定するようにしたり、十字状のマークなどで特定するようにしたりしてもよい。本発明において、ポインタとは、マウスカーソルやヘアライン線、マークなどの総称として定義されるものである。
【００５１】
また、上述した実施の形態１，２では、ポインタ操作器としてホイール付きのマウスを用いるようにしたが、マウスパッドを用いるなどしてもよい。マウスパッドを用いる場合には、マウスバッド上の指の操作のみで、マウスカーソルの位置の特定と、データ軸の上・下限値や時間軸の前・後方向の限界値の変更操作を行うことが可能である。
【００５２】
また、上述した実施の形態１，２では、表示されるグラフをトレンドグラフとしたが、縦軸を第１の種類のデータ値を示す軸、横軸を第２の種類のデータ値を示す軸とし、同一時刻の第１の種類のデータ値と第２の種類のデータ値とのデータ対を時系列データ対とし、表示対象期間における時系列データ対を縦軸と横軸とで示される直交平面上にプロットして表示される散布図などとしてもよい。
【００５３】
図１１に上述した監視・制御装置３の機能ブロック図を示す。監視・制御装置３は、横軸を時刻を示す時間軸Ｘとし、この時間軸Ｘと直交する縦軸をデータ値を示すデータ軸Ｙとし、時間軸Ｘとデータ軸Ｙとで示される直交平面上をグラフ表示エリアＡＲ１とし、このグラフ表示エリアＡＲ１上に時系列データをプロットし、このプロットした時系列データを折れ線で結んでディスプレイ３−８上にトレンドグラフＧ１として表示するグラフ表示処理部３１と、トレンドグラフＧ１が表示されている画面上にマウスカーソル５をポインタとして表示するポインタ表示処理部３２と、画面上に表示されているマウスカーソル５を移動させるポインタ操作器３３（マウス３−１０）と、グラフ表示エリアＡＲ１内の所定のエリアにマウスカーソル５が置かれたまま、マウスホイール４が操作された場合、マウスカーソル５が置かれた所定のエリアによって特定されるデータ軸Ｙおよび時間軸Ｘの何れか一方の軸の終端値を連続的に変更する終端値変更処理部３４とを備えている。
【００５４】
実施の形態１において、終端値変更処理部３４は、マウスカーソル５がグラフ表示エリアＡＲ１内のデータ軸Ｙの上限値ライン（あるいは近傍の狭い範囲）に置かれたまま、マウスホイール４が操作された場合、トレンドグラフＧ１のデータ軸Ｙの上限値（終端値）を変更し、マウスカーソル５がグラフ表示エリアＡＲ１内のデータ軸Ｙの下限値ライン（あるいは近傍の狭い範囲）に置かれたまま、マウスホイール４が操作された場合、トレンドグラフＧ１のデータ軸Ｙの下限値（終端値）を変更する。
【００５５】
実施の形態２において、終端値変更処理部３４は、マウスカーソル５がグラフ表示エリアＡＲ１内の時間軸Ｘの前方向の限界値ライン（あるいは近傍の狭い範囲）に置かれたまま、マウスホイール４が操作された場合、トレンドグラフＧ１の時間軸Ｘの前方向の限界値（終端値）を変更し、マウスカーソル５がグラフ表示エリアＡＲ１内の時間軸Ｘの後方向の限界値ライン（あるいは近傍の狭い範囲）に置かれたまま、マウスホイール４が操作された場合、トレンドグラフＧ１の時間軸Ｘの後方向の限界値（終端値）を変更する。
【００５６】
また、実施の形態１，２において、終端値変更処理部３４は、操作者がポインタ操作器３３のマウスホイール４を特定の方向に回転させると、回転操作が継続する状況において、特定の時間間隔でレンジの縮小要求（グラフの拡大要求）の指示入力に変換し、操作者がポインタ操作器３３のマウスホイール４を上記とは逆の方向に回転させると、回転操作が継続する状況において、特定の時間間隔でレンジの拡大要求（グラフの縮小要求）の指示入力に変換する。
【００５７】
〔実施の形態の拡張〕
以上、実施の形態を参照して本発明を説明したが、本発明は上記実施の形態に限定されるものではない。本発明の構成や詳細には、本発明の技術思想の範囲内で当業者が理解しうる様々な変更をすることができる。また、各実施の形態については、矛盾しない範囲で任意に組み合わせて実施することができる。
【符号の説明】
【００５８】
１…コントローラ、２…サーバ装置、２１…データ取得部、２２…データ記憶部、３…監視・制御装置、３−１…ＣＰＵ、３−２…ＲＡＭ、３−３…ＲＯＭ、３−４…記憶装置、３−５〜３−７…インターフェイス、３−８…ディスプレイ、３−９…キーボード、３−１０…マウス、４…マウスホイール、５…マウスカーソル、ＡＲ１…グラフ表示エリア、ＳＡ１〜ＳＡ４…選択エリア、Ｇ１，Ｇ２…トレンドグラフ、３１…グラフ表示処理部、３２…ポインタ表示処理部、３３…ポインタ操作器、３４…終端値変更処理部。
【図１】
2013149152.tif 000003
【図２】
2013149152.tif 000004
【図３】
2013149152.tif 000005
【図４】
2013149152.tif 000006
【図５】
2013149152.tif 000007
【図６】
2013149152.tif 000008
【図７】
2013149152.tif 000009
【図８】
2013149152.tif 000010
【図９】
2013149152.tif 000011
【図１０】
2013149152.tif 000012
【図１１】
2013149152.tif 000013
【図１２】
2013149152.tif 000014